(57)【特許請求の範囲】
【請求項１】
吐水口を有する吐水部と、
前記吐水口から吐水される吐水流を受ける受水面を有する凹状のボウル部と、
前記受水面に向けて下方向に電波を放射し、この電波の反射波に基づいて被検知体を検知するためのセンサ部と、
このセンサ部から出力された検知信号に基づいて前記吐水口から吐水される吐水流の吐止水を制御する制御部と、を備えた自動水栓装置において、
前記ボウル部は、前記受水面を含み前記ボウル部の底部を形成する受水部と、前記センサが設けられて前記受水部の奥側から上方に延びるセンサ配置部と、
前記受水部の手前側に配置され、前記吐水口からの吐水流を排水する排水口と、とを有し、
前記受水面は、前記センサ配置部に向かって上方に傾く傾斜面を有し、
前記センサ配置部には、前記センサ部と前記吐水部を設けるとともに、前記センサ部を前記吐水口よりも高い位置に配置し、
前記センサ部の被検知体の検知範囲である有効電波領域を、前記傾斜面を有する前記受水面の前記排水口を含む所定範囲を残して前記センサ配置部が立ち上がる角部付近の隅部領域を含む前記センサ配置部側の受水面に設定したこと
を特徴とする自動水栓装置。
【請求項２】
前記センサから放射される電波の中心軸線と前記傾斜面の接点は排水口よりセンサ配置部に近いことを特徴とする
請求項１に記載の自動水栓装置
【請求項３】
前記排水口は、左右方向に延びるスリット状の開口であることを特徴とする
請求項１または請求項２に記載の自動水栓装置。
【請求項４】
前記ボウル部は、前記受水部に接続し、センサ配置部に対向する位置に設けられている前壁部をさらに有し、
前記前壁部が、前記受水部の手前側端部から鉛直上方に延びるように形成されていることを特徴とする
請求項１から請求項３のいずれか一項に記載の自動水栓装置。
【請求項５】
前記受水面は、前記排水口の奥側の開口縁部を形成するとともに手前側から奥側に向かって上り傾斜している第１受水面と、前記排水口の手前側の開口縁を形成するとともに奥側から手前側に向かって下り傾斜している第２受水面と、を有し、
前記手前側の開口縁が前記奥側の開口縁よりも低い位置に形成されていることを特徴とする
請求項３に記載の自動水栓装置。
【発明の詳細な説明】
【技術分野】
【０００１】
本発明は、自動水栓装置に関し、特に電波センサを用いて吐水及び止水を自動的に行う自動水栓装置に関する。
【背景技術】
【０００２】
従来から、例えばマイクロ波ドップラセンサなどの電波センサによって、被検知体（例えば、使用者の手等）の移動速度を検知して、吐水及び止水を自動的に行う自動水栓装置が知られている（例えば、特許文献１、特許文献２参照）。
【０００３】
特許文献１の図１等に記載された自動水栓装置においては、電波センサがボウル部の奥側の低い位置に配置されており、電波センサから斜め上方に向けて電波が放射されるようになっている。つまり、電波の放射方向は使用者の手が吐水口に向けて接近してくる方向に向けられており、これにより、使用者の手の動きの検知が容易となる。しかしながら、この構成では、電波がボウル部の外部に向けられているため、例えば、使用者が鏡を覗き込む動作のようなボウル部外での使用者の接近動作が、使用者の手の動きと誤検知され、誤吐水が生じるおそれがある。
【０００４】
一方、特許文献２の図１１等には、ボウル部の奥側且つ吐水口よりも高い位置に配置された電波センサから下方に向けて電波が放射される自動水栓装置が記載されている。この自動水栓装置においては、電波が三つの方向に向けて選択的に放射されるようになっている。この三つの放射方向は、いずれもボウル部の上方空間における使用者の手の動きを検知するように段階的に角度設定されている。そのため、特許文献１に記載された自動水栓装置のように、ボウル部外での使用者の接近動作を誤検知することを抑制することができる。
【先行技術文献】
【特許文献】
【０００５】
【特許文献１】特開２００９−１５０１９０号公報
【特許文献２】特開２００６−２８３４４１号公報
【発明の概要】
【発明が解決しようとする課題】
【０００６】
しかしながら、特許文献２に記載のような、ボウル部の上方空間における使用者の手の動きを検知する自動水栓装置では、電波がボウル部の奥側から手前側の内側面に向けて放射される。そのため、例えば、使用者が手洗い中に吐水口から手前側に手を引っ込めた状態で行う石鹸水の手もみ動作や手に付いた水を払う水切り動作を、水を受けるために吐水口に手を近づける動作と誤検知してしまうおそれがあった。このため、特許文献２に記載の自動水栓装置では、不必要な吐水が継続するという問題があった。
【０００７】
この問題を解決するために、電波センサの検知範囲が手もみ動作や水切り動作を行う空間を含まなくなるように、電波放射方向の下方への傾き角度をさらに大きく再設定することが一つの解決策として考えられる。この構成により、手もみ動作や水切り動作を誤検知してしまうことが抑制される。
【０００８】
しかしながら、上記のように電波放射方向の傾き角度を再設定した自動水栓装置では、電波放射方向がボウル部の底面に向くことになる。そして、このように電波の放射方向の傾き角度を再設定した自動水栓装置では、止水中に、例えばコップから水をボウル部内に捨てた場合に、ボウル部の内側表面を伝って流れた水がボウル部の周壁面に衝突して生じた水跳ねを、電波センサが使用者の手と誤検知し、誤吐水が生じるおそれがある。すなわち、電波センサは、コップからの水がボウル部の内側表面上を伝うように流れる層状流として流れる間はこの層状流を検知しない。しかしながら、この層状流がボウル部の周壁面に衝突し、この周壁面に沿って跳ね上がった場合には、この跳ね上がった水が電波センサに向かって近づく動き、及び、跳ね上がった水が上昇後に乱れて大きな検知面積を形成しながら広がって落下する動きを、電波センサが使用者の手の動きと誤検知してしまう場合がある。
【０００９】
本発明は、このような新たな課題を解決するためになされたものであり、吐水口よりも上方位置に配置された電波センサから下方に向けて電波が放射される自動水栓装置において、コップからの捨て水等による水跳ねによって生じる誤検知を抑制することができる自動水栓装置を提供することを目的とする。
【課題を解決するための手段】
【００１０】
上記目的を達成するために、本発明の一態様に係る自動水栓装置によれば、吐水口を有する吐水部と、吐水口から吐水される吐水流を受ける受水面を有する凹状のボウル部と、受水面に向けて下方向に電波を放射し、この電波の反射波に基づいて被検知体を検知するためのセンサ部と、このセンサ部から出力された検知信号に基づいて吐水口から吐水される吐水流の吐止水を制御する制御部と、を備えた自動水栓装置において、センサ部は、吐水口よりも高い位置に配置されており、ボウル部は、受水面を含みボウル部の底部を形成する受水部と、センサ部が設けられて受水部の奥側から上方に延びるセンサ配置部と、を有し、センサ部の被検知体の検知範囲である有効電波領域には、受水部からセンサ配置部が立ち上がる角部付近の隅部領域が含まれ、受水面には、吐水口からの吐水流を排水する排水口と、センサ配置部に向かって上方に傾く傾斜面と、が設けられ、排水口が、傾斜面の下端であって有効電波領域よりも手前側の位置に形成されていることを特徴とする。
【００１１】
この構成によれば、受水面からセンサ配置部に向かって流れる水の速度が遅くなり、ボウル部の受水面を伝う水が、受水部からセンサ配置部が立ち上がる角部付近の隅部領域にて跳ね返ってしまうことを抑制することができる。そのため、隅部領域にて跳ね返った水をセンサ部が検知してしまうことによる誤吐水を抑制することができる。
【００１２】
また、本発明の一態様に係る自動水栓装置において、好ましくは、排水口は、左右方向に延びるスリット状の開口であることを特徴とする。
【００１３】
この構成によれば、排水口付近を流れる水はスリット状の排水口に流れ込み、排水口付近から受水面の傾斜面を遡ってセンサ配置部に向かって流れる水が抑制される。これにより、受水部からセンサ配置部が立ち上がる角部付近の隅部領域にて水が跳ね返ってしまうことを抑制することができる。そのため、隅部領域にて跳ね返った水をセンサ部が検知してしまうことによる誤吐水をより確実に抑制することができる。
【００１４】
また、本発明の一態様に係る自動水栓装置において、好ましくは、ボウル部は、受水部に接続し、センサ配置部に対向する位置に設けられている前壁部をさらに有し、前壁部が、受水部の手前側端部から鉛直上方又は手前側上方に延びるように形成されていることを特徴とする。
【００１５】
この構成によれば、例えば使用者がコップ内の水をボウル部へ捨てる際、受水面のより手前側の位置に水を捨てることができ、受水面からセンサ配置部に向かう水の速度をより遅くすることができる。これにより、受水部からセンサ配置部が立ち上がる角部付近の隅部領域にて水が跳ね返ってしまうことを抑制することができる。そのため、隅部領域にて跳ね返った水をセンサ部が検知してしまうことによる誤吐水をより確実に抑制することができる。
【００１６】
また、本発明の一態様に係る自動水栓装置において、好ましくは、前壁部は、受水部の手前側端部から鉛直上方に延びるように形成されていることを特徴とする。
【００１７】
この構成によれば、ボウル部の前後方向長さが同一である条件下において、排水口よりも手前側に排水を受ける受水面が形成されている場合に比べて、受水面の前後方向長さを大きく形成することができる。そのため、受水面の傾斜面の長さが長くなり、受水面からセンサ配置部に向けて流れる水の速度をより遅くすることができる。これにより、受水部からセンサ配置部が立ち上がる角部付近の隅部領域にて水が跳ね返ってしまうことを抑制することができる。そのため、隅部領域にて跳ね返った水をセンサ部が検知してしまうことによる誤吐水をより確実に抑制することができる。
【００１８】
また、本発明の一態様に係る自動水栓装置において、好ましくは、受水面は、排水口の奥側の開口縁部を形成するとともに手前側から奥側に向かって上り傾斜している第１受水面と、排水口の手前側の開口縁を形成するとともに奥側から手前側に向かって下り傾斜している第２受水面と、を有し、手前側の開口縁が奥側の開口縁よりも低い位置に形成されていることを特徴とする。
【００１９】
この構成によれば、例えばコップ内の水を第２受水面に捨てた際、第２受水面を伝う水は、第１受水面に流れることが抑制され、そのまま排水口に流れ込む。つまり、第１受水面からセンサ配置部に向かって水が流れることがより抑制される。これにより、受水部からセンサ配置部が立ち上がる角部付近の隅部領域にて水が跳ね返ってしまうことを抑制することができる。そのため、隅部領域にて跳ね返った水をセンサ部が検知してしまうことによる誤吐水をより確実に抑制することができる。
【発明の効果】
【００２０】
本発明によれば、吐水口よりも電波センサが上方位置に配置された自動水栓装置において、コップからの捨て水等の水跳ねによる誤検知を抑制することができる。
【図面の簡単な説明】
【００２１】
【図１】本発明の第一実施形態に係る自動水栓装置の斜視図である。
【図２】本発明の第一実施形態に係る自動水栓装置の上面図である。
【図３】本発明の第一実施形態に係る自動水栓装置の側面断面図である。
【図４】本発明の第一実施形態に係る自動水栓装置のセンサ部と制御部の構成を示すブロック図である。
【図５】本発明の第一実施形態に係る自動水栓装置のボウル部の水の流れを模式的に表した側面断面図である。
【図６】本発明の第二実施形態に係る自動水栓装置の斜視図である。
【図７】本発明の第二実施形態に係る自動水栓装置の上面図である。
【図８】本発明の第二実施形態に係る自動水栓装置の側面断面図である。
【図９】本発明の第二実施形態に係る自動水栓装置のボウル部の水の流れを模式的に表した側面断面図である。
【図１０】本発明の第三実施形態に係る自動水栓装置の斜視図である。
【図１１】本発明の第三実施形態に係る自動水栓装置の上面図である。
【図１２】本発明の第三実施形態に係る自動水栓装置の側面断面図である。
【図１３】本発明の第三実施形態に係る自動水栓装置のボウル部の水の流れを模式的に表した側面断面図である。
【図１４】本発明の第四実施形態に係る自動水栓装置の斜視図である。
【図１５】本発明の第四実施形態に係る自動水栓装置の上面図である。
【図１６】本発明の第四実施形態に係る自動水栓装置の側面断面図である。
【図１７】本発明の第四実施形態に係る自動水栓装置のボウル部の水の流れを模式的に表した側面断面図である。
【発明を実施するための形態】
【００２２】
以下、本発明の実施の形態について添付図面を参照しながら説明する。なお、各図面中、同様の構成要素には同一の符号を付して詳細な説明は適宜省略する。
【００２３】
（第一実施形態）
＜自動水栓装置の構成＞
まず、図１〜図４を参照して、本発明の第一実施形態に係る自動水栓装置の構成について説明する。
【００２４】
図１は、本発明の第一実施形態に係る自動水栓装置の斜視図である。図２は、本発明の第一実施形態に係る自動水栓装置の上面図である。図３は、本発明の第一実施形態に係る自動水栓装置の側面断面図である。図４は、本発明の第一実施形態に係る自動水栓装置のセンサ部と制御部の構成を示すブロック図である。
【００２５】
図１〜図３に示すように、自動水栓装置１は、ボウル部１００と、吐水機構２００と、センサ部３００と、制御部４００と、を備える。
【００２６】
ボウル部１００は、陶器又は樹脂等の電波透過性材料で形成されており、全体が凹状形状に形成されている。また、ボウル部１００は、受水部１１０と、周壁部１２０と、排水部１３０と、を有する。
受水部１１０はボウル部１００の底部を構成しており、受水部１１０の表面（後述する内側面１００ａ側の面）は、吐水機構２００から吐水される吐水流を受ける受水面１１１を構成する。
なお、受水部１１０及び周壁部１２０のうち使用者により視認可能で後述する吐水口２４０から吐水される吐水流にさらされる表面（受水面１１１と、周壁部１２０の受水面１１１側の面）を内側面１００ａとし、受水部１１０及び周壁部１２０のうち使用者により視認できない面（内側面１００ａとは反対側の裏面）を外側面１００ｂとする。
【００２７】
周壁部１２０は、受水部１１０の周縁部から上方に延びるように形成されており、後壁部１２１と、前壁部１２２と、右壁部１２３と、左壁部１２４と、からなる。
周壁部１２０の後壁部１２１は、受水部１１０の奥側端部（後方側端部）から鉛直上方に延びるように形成されており、他の壁部（前壁部１２２、右壁部１２３、左壁部１２４）よりも上方へ延びている。この後壁部１２１には、吐水機構２００及びセンサ部３００が設けられている。また、前壁部１２２は、受水部１１０に接続し、後壁部１２１に対向する位置に設けられている。この前壁部１２２は、受水部１１０の手前側端部（前方側端部）から鉛直上方に延びるように形成されている。
また、右壁部１２３及び左壁部１２４は、受水部１１０の左方側端部及び右方側端部のそれぞれから鉛直上方に延びるように形成されており、後壁部１２１と前壁部１２２とを接続している。つまり、受水部１１０と周壁部１２０とは、連続して一体的に形成されている。
なお、本実施形態及び、第二実施形態〜第四実施形態において、後壁部１２１がセンサ配置部としての機能を果たす。
【００２８】
受水面１１１には、吐水機構３０からの吐水やボウル部１００に捨てられた水を排水する排水口１１２が開口している。また受水面１１１には、排水口１１２に向かって下り傾斜するように設けられた傾斜面が設けられている。すなわち、傾斜面は、前方側から後方側（後壁部１２１側）に向かって上方に傾いた形状である。本実施形態では、受水面１１１の前端部（下端部）に排水口１１２が開口しており、受水面１１１が全体として後上がりの傾斜面となっている。ただし、受水面１１１における排水口１１２の位置等により、受水面１１１の一部が後上がりの傾斜面であってもよい。
排水口１１２は、円形形状を有しており、受水面１１１の傾斜面の下端であって、後述するセンサ部３００の被検知体の検知範囲である有効電波領域Ｒよりも手前側（前方側）の位置に形成されている。つまり、排水口１１２は、有効電波領域Ｒの範囲外の位置に形成されている。また、図３に表したように、排水口１１２は、自動水栓装置１の前後方向の中央よりも後方側に形成されている。
【００２９】
また、排水口１１２の下方には、排水部１３０が設けられている。排水部１３０には、排水口１１２に連通する排水流路１３１が形成されている。排水流路１３１は排水口１１２から鉛直下方に向かって延びる流路であり、排水流路１３１の下流端部には、排水口１１２から排水流路１３１に流れ込んだ水をボウル部１００外に排出する排水管（図示せず）が接続されている。
【００３０】
吐水機構２００は、給水管２１０と、開閉弁２２０と、吐水部２３０と、吐水口２４０と、を有する。
給水管２１０は後壁部１２１の裏面側（外側面１００ｂ側）において上下方向に延びる管路であり、給水管２１０の上流は図示しない給水源に接続されている。給水管２１０内において、上流から流れてきた水は、流れ方向Ｗに向かって流れる。また、給水管２１０の管路途中には、制御部４００からの信号によって開閉する開閉弁２２０が設けられており、給水管２１０の下流側先端部には、吐水部２３０が設けられている。吐水部２３０は、その下流側先端に吐水口２４０を有する。吐水部２３０は、後壁部１２１に形成された貫通孔を通して奥側（後方側）から手前側（前方側）に突出しており、吐水口２４０から吐水するようになっている。本実施形態では、吐水部２３０は、略円筒状の管部分であって、やや前下がりの傾斜方向に突設されており、その突設方向に対して略垂直な面に沿うように吐水口２４０が開口している。
【００３１】
センサ部３００は、特定の周波数帯域（移動体検知センサであるセンサ部３００は、特定小電力機器であるため、日本国内において１０．５０〜１０．５５［ＧＨｚ］又は２４．０５〜２４．２５［ＧＨｚ］の周波数帯域での使用が認められている。）のマイクロ波ドップラセンサであり、受水面１１１に向けて前方斜め下方向に電波を放射し、この電波の反射波に基づいて被検知体を検知する。これにより、センサ部３００による被検知体の検知範囲の関係から、例えば、使用者が手洗い中に吐水口２４０から手前側に手を引っ込めた状態で行う石鹸水の手もみ動作や手に付いた水を払う水切り動作を、水を受けるために吐水口２４０に手を近づける動作と誤検知してしまうことを抑制することができる。
【００３２】
センサ部３００は、使用者から視認できないように、後壁部１２１の裏側（外側面１００ｂ側）において吐水部２３０の上方の位置に配置されている。そのため、後述する有効電波領域Ｒ内に吐水口２４０を含めやすくなる。また、センサ部３００は、後壁部１２１の裏側に設けられた支持部材（図示せず）によって、後壁部１２１の裏側の面（外側面１００ｂ側の面）に配置されている。なお、このセンサ部３００が配置される後壁部１２１の裏側には、センサ部３００又はセンサ部３００が搭載される基盤の幅以上の空間が設けられている。このように、センサ部３００と後壁部１２１の裏側の面（外側面１００ｂ側の面）との間に広めの空間を設けることで、センサ部３００の取付角度を適宜設定することが可能となる。そのため、自動水栓装置１の寸法や各部品の位置関係に応じた電波の放射角度を容易に設定及び調整することができる。
【００３３】
センサ部３００は、センサ部３００から所定の電波放射方向Ａに沿って延びる中心軸線Ｃ（図３参照）を中心とする指向性パターンを有し、センサ部３００の被検知体の検知範囲である有効電波領域Ｒを形成する。この有効電波領域Ｒは、中心軸線Ｃに沿う方向の断面が略楕円形状の指向性パターンを有する。また、センサ部３００は、吐水口２４０よりも高い位置に配置されており、電波放射方向Ａが吐水部２３０の上方からボウル部１００の内側面１００ａ（受水面１１１）に向かうように設定されている。さらに詳しくは、センサ部３００は、有効電波領域Ｒを吐水口２４０から吐水される吐水流の少なくとも一部が通過するように位置決めされている。また、有効電波領域Ｒがその領域内に吐水口２４０を含むようにセンサ部３００が位置決めされている。
【００３４】
また、図４に示すように、センサ部３００は、電波を放射する送信部３１０と、電波を受信する受信部３２０と、放射する電波を生成する発振回路３３０と、送信波と反射波の信号を合成するミキサ回路３４０と、を有する。
まず、発振回路３３０にて、放射する電波の周波数に応じた信号が生成されると、その信号が送信部３１０及びミキサ回路３４０へ送信される。送信部３１０は、発振回路３３０にて生成された信号に応じた周波数の電波を送信波として不図示のアンテナからボウル部１００へ放射する。送信部３１０から放射された送信波が動いている被検知体に当たって反射されると、被検知体の動きに応じて電波の周波数が変化する。そして、送信部３１０から放射された電波の反射波が被検知体で反射して不図示のアンテナに入射すると、受信部３２０は当該アンテナを介して反射波を受信する。受信部３２０で受信した電波の周波数に応じた信号は、ミキサ回路３４０へ送信される。ミキサ回路３４０は、送信部３１０から放射した送信波の信号と、受信部３２０で受信した反射波の信号と、に基づいて検知信号（被検知体の移動情報を表す電圧信号）を生成する。ミキサ回路３４０によって生成された検知信号は、制御部４００へ出力される。
なお、送信部３２０に対応するアンテナと、受信部３２０に対応するアンテナとは、それぞれ別であってもよい。
【００３５】
また、電波を送信波として放射するアンテナとして送信部３１０を機能させてもよい。さらに、放射された電波の反射波が被検知体で反射して入射するアンテナとして、受信部３２０を機能させてもよい。
【００３６】
制御部４００は、判定部４１０と記憶部４２０とを有し、センサ部３００から出力された検知信号に基づいて吐水口２４０から吐水される吐水流の吐止水を制御する。
判定部４１０は、センサ部３００のミキサ回路３４０より送信された検知信号を受信し、受信した検知信号に基づいて被検知体が検出されたか否かを判定し、開閉弁２２０を駆動する。
【００３７】
具体的には、判定部４１０は、記憶部４２０に記憶されている所定の閾値を呼び出し、検知信号の電圧値と、記憶部４２０から呼び出した所定の閾値と、を比較する。検知信号の電圧値が記憶部４２０から呼び出した所定の閾値以上である場合、つまり、センサ部３００が被検知体の動きを検知した場合に、判定部４１０の制御により開閉弁２２０が開かれる。この期間中、吐水口２４０からボウル部１００へ水が吐水される。このとき、センサ部３００が被検知体の動きを検知し続けている状態であれば、開閉弁２２０は開いままで、吐水口２４０から吐水され続ける。その後、検知信号の電圧値が所定の閾値未満になると、開閉弁２２０が閉じられ、吐水口２４０からの水が止水される。なお、検知信号の電圧値が記憶部４２０から呼び出した所定の閾値以上であることを検知してから所定時間後に、判定部４１０は開閉弁２２０を閉じるように制御してもよい。一方、検知信号の電圧値が記憶部４２０から呼び出した所定の閾値未満である場合には、つまり、センサ部３００が被検知体の動きを検知していない場合には、判定部４１０は開閉弁２２０を開く制御を行わない。
【００３８】
また、記憶部４２０から呼び出され、開閉弁２２０の開閉に用いられる所定の閾値において、開閉弁２２０が閉じた状態から開けられるときに用いられる閾値と、開閉弁２２０が開いた状態から閉じられるときに用いられる閾値と、が異なるように構成してもよい。
【００３９】
＜動作及び作用＞
つづいて、図５を参照して、本発明の第一実施形態に係る自動水栓装置の動作及び作用について説明する。
【００４０】
図５は、本発明の第一実施形態に係る自動水栓装置のボウル部の水の流れを模式的に表した側面断面図である。
なお、受水面１１１上を伝って流れる流体の流れがＦ１で示されている。
【００４１】
図５に示すように、有効電波領域Ｒ内には、受水部１１０から後壁部１２１が立ち上がる角部付近の隅部領域１４０が含まれている。この隅部領域１４０は、受水部１１０と後壁部１２１との角部付近において水飛沫が跳ね上がりやすい領域であり、受水面１１１を流れる水が後壁部１２１に衝突したと仮定したときに水が後壁部１２１に沿って上昇し、その後、跳ね返って落下する空間部分を含む。隅部領域１４０は、例えば、図５に示す受水部１１０と後壁部１２１の断面において、受水部１１０と周壁部１２０とによって囲われる空間の受水部１１０と後壁部１２１の角部を中心とした半径１０［ｃｍ］〜１５［ｃｍ］程度の範囲である。
【００４２】
例えば、図５に示すように、コップからボウル部１００内の手前側の部分に流体Ｆが流されると、流体Ｆは後壁部１２１に向けて手前側（前方側）から奥側（後方側）へ受水面１１１を伝って流れていく（流れＦ１）。流体Ｆは受水面１１１上を伝うように流れる層状流として流れるため、仮に受水面１１１が有効電波領域Ｒに含まれていても、センサ部３００からは捉え難くなる。すなわち、センサ部３００によって層状流として流れる流体Ｆは被検知体として検出されない。
【００４３】
また、受水面１１１には後壁部１２１に向かって上方に傾く傾斜面が設けられているので、流体Ｆの流れＦ１の速度が後壁部１２１に近づくにつれて遅くなり、流れＦ１方向に向かう流体Ｆの勢いも弱くなる。すなわち、後壁部１２１に向けて手前側（前方側）から奥側（後方側）へ受水面１１１を伝って流れる流体Ｆが、後壁部１２１及び隅部領域１４０に到達しにくくなる。仮に、後壁部１２１に向けて手前側（前方側）から奥側（後方側）へ受水面１１１を伝って流れる流体Ｆが後壁部１２１に到達して衝突したとしても、受水面１１１の傾斜面によって流体Ｆの勢いが弱められているので、隅部領域１４０にて流体Ｆが跳ね返りにくい。
【００４４】
受水面１１１を伝って流れＦ１方向に流れた流体Ｆは、受水面１１１の傾斜面によって徐々に手前側（前方側）に向かって流れ、傾斜面の下端に設けられた排水口１１２に流入する。ここで、排水口１１２は有効電波領域Ｒの範囲外に設けられているので、例えば排水口１１２に流体Ｆが流入するときに流体Ｆが乱れた場合であっても、乱れた流体Ｆがセンサ部３００によって被検知体として検出されることが抑制される。
排水口１１２に流入した流体Ｆは、排水部１３０の排水流路１３１を介して図示しない排水管に排出される。
【００４５】
ここで、受水面１１１に傾斜面が形成されていない場合、コップからボウル部１００内に流された流体Ｆは、コップからボウル部１００へ流されたときの勢いを保ったまま受水面１１１を伝って後壁部１２１に向かって流れ、隅部領域１４０において後壁部１２１に衝突し跳ね返る。すなわち、後壁部１２１に衝突した流体Ｆは、後壁部１２１を伝って上昇し、さらに、後壁部１２１から手前側に向けて落下する。このとき、隅部領域１４０において、流体Ｆがセンサ部３００に接近してくる動作、及び、流体Ｆが乱れて広がりながら落下する動作が、センサ部３００にとって捉えやすくなる。従って、受水面１１１に傾斜面が形成されていない場合、流体Ｆの跳ね返りに起因してセンサ部３００の誤検知が生じるおそれがある。
【００４６】
上述した本発明の第一実施形態による自動水栓装置１によれば、受水面１１１には後壁部１２１に向かって上方に傾く傾斜面が設けられている。これにより、受水面１１１から後壁部１２１に向かって流れる水の速度が遅くなり、ボウル部１００の受水面１１１を伝う水が、受水部１１０から後壁部１２１が立ち上がる角部付近の隅部領域１４０にて跳ね返ってしまうことを抑制することができる。そのため、隅部領域１４０にて跳ね返った水をセンサ部３００が検知してしまうことによる誤吐水を抑制することができる。
【００４７】
また、上述した本発明の第一実施形態による自動水栓装置１によれば、前壁部１２２が受水部１１０の手前側端部から鉛直上方又は手前側上方に延びるように形成されていることから、例えば使用者がコップ内の水をボウル部１００へ捨てる際、受水面１１１のより手前側の位置に水を捨てることができ、受水面１１１から後壁部１２１に向かう水の速度をより遅くすることができる。仮に、前壁部１２２が受水部１１０の手前側端部から奥側上方に延びるように（オーバーハング状に）形成されている場合、受水面１１１の前端部位に水を捨てることが難しくなるが、本実施形態の自動水栓装置１によれば、容易に受水面１１１の前端部位に水を捨てることができるので、後上がりの傾斜面である受水面１１１の作用を効果的に得ることができる。これにより、受水部１１０から後壁部１２１が立ち上がる角部付近の隅部領域１４０にて水が跳ね返ってしまうことを抑制することができる。そのため、隅部領域１４０にて跳ね返った水をセンサ部３００が検知してしまうことによる誤吐水をより確実に抑制することができる。
【００４８】
さらに、上述した本発明の第一実施形態による自動水栓装置によれば、ボウル部１００の前後方向長さが同一である条件下において、排水口１１２よりも手前側に排水を受ける受水面が形成されている構成や、前壁部１２２が受水部１１０の手前側端部から手前側上方に延びるように形成されている構成等と比べて、全体的に後上がりに傾斜した受水面１１１の前後方向長さを大きく形成することができる。つまり、本実施形態の自動水栓装置１によれば、受水面１１１の前端部（下端部）に排水口１１２が開口しており、受水面１１１が全体として後上がりの傾斜面となっていることから、例えば後述する第三実施形態の自動水栓装置３のように受水面１１１の前後中途部に排水口１１２ｂが設けられた構成との比較において、後上がりの傾斜面の全長を長くすることができる。また、本実施形態の自動水栓装置１によれば、前壁部１２２が受水部１１０の手前側端部から鉛直上方に延びるように形成されていることから、例えば後述する第四実施形態の自動水栓装置４のように前壁部１２２が受水部１１０の手前側端部から手前側上方に延びた構成との比較において、ボウル部１００の前後方向長さが所定の長さに規定されている場合、後上がりの傾斜面の全長を長くすることができる。そのため、受水面１１１の傾斜面の長さが長くなり、受水面１１１から後壁部１２１に向けて流れる水の速度をより遅くすることができる。これにより、受水部１１０から後壁部１２１が立ち上がる角部付近の隅部領域１４０にて水が跳ね返ってしまうことを抑制することができる。そのため、隅部領域１４０にて跳ね返った水をセンサ部３００が検知してしまうことによる誤吐水をより確実に抑制することができる。
【００４９】
（第二実施形態）
＜自動水栓装置の構成＞
つぎに、図６〜図８を参照して、本発明の第二実施形態に係る自動水栓装置の構成について説明する。
なお、本実施形態において、上述した本発明の第一実施形態における自動水栓装置１と同一の部分については同一の符号を付し、それらの説明は省略する。
【００５０】
図６は、本発明の第二実施形態に係る自動水栓装置の斜視図である。図７は、本発明の第二実施形態に係る自動水栓装置の上面図である。図８は、本発明の第二実施形態に係る自動水栓装置の側面断面図である。
【００５１】
図６〜図８に示すように、自動水栓装置２の受水面１１１には、吐水機構２００からの吐水やボウル部１００に捨てられた水を排水する排水口１１２ａが開口している。また受水面１１１には、前方側から後方側（後壁部１２１側）に向かって上方に傾く傾斜面が設けられている。
排水口１１２ａは、左右方向に横長に延びるスリット状の開口であり、左右方向の一方の壁部（右壁部１２３または左壁部１２４）の内側面１００ａ側の面から他方（右壁部１２３または左壁部１２４）の壁部の内側面１００ａ側の面にかけて形成されている。この排水口１１２ａは、受水面１１１の傾斜面の下端であってセンサ部３００の被検知体の検知範囲である有効電波領域Ｒよりも手前側（前方側）の位置に形成されている。つまり、排水口１１２ａは、有効電波領域Ｒの範囲外の位置に形成されている。また、有効電波領域Ｒの左右方向の幅は、排水口１１２ａの左右方向の幅よりも小さく形成されている。そして、排水口１１２ａの手前側（前方側）の開口縁は、前壁部１２２の内側面１００ａ側の面と、一体的に設けられている。また、排水口１１２ａの右方側及び左方側の開口縁は、右壁部１２３及び左壁部１２４の内側面１００ａ側の面と一体的に設けられている。一方、排水口１１２ａの奥側（後方側）の開口縁である奥側開口縁１１３は、受水面１１１に設けられている傾斜面の最下端の縁部分である。
【００５２】
排水口１１２ａの下方には排水部１３０が設けられており、排水部１３０は排水口１１２ａから下方に向かって凹む凹部１３２を有している。凹部１３２は、ボウル部１００内の手前側の縁部に相当する受水面１１１の手前側において左右方向の全体にわたって形成された溝状の部分である。この凹部１３２は、後方側面１３２ａと、後方側面１３２ａに対向する面である前方側面１３２ｂと、後方側面１３２ａと前方側面１３２ｂの右方及び左方端部を接続する右方側面１３２ｃ及び左方側面１３２ｄと、底面１３２ｅとからなる。
【００５３】
凹部１３２の後方側面１３２ａは、奥側開口縁１１３から鉛直下方に延びるように形成されている面である。つまり、受水面１１１と後方側面１３２ａの角部分が、奥側開口縁１１３となる。また、前方側面１３２ｂは、前壁部１２２の内側面１００ａ側の面から連続して一体的（面一に）に形成されて、排水口１１２ａから鉛直下方に延びる面である。さらに、右方側面１３２ｃ及び左方側面１３２ｄは、右壁部１２３及び左壁部１２４の内側面１００ａ側の面から連続して一体的（面一に）に形成されて、排水口１１２ａから鉛直下方に延びる面である。
【００５４】
凹部１３２の底面１３２ｅは、左右方向に延びるように形成された水平面であり、後方側面１３２ａ、前方側面１３２ｂ、右方側面１３２ｃ及び左方側面１３２ｄ、のそれぞれの下端部を接続している。つまり、受水面１１１から凹部１３２の後方側面１３２ａ及び底面１３２ｅにかけて、段状に形成されている。
【００５５】
また、凹部１３２の底面１３２ｅには複数の流出口１３３が開口している。本実施形態では、底面１３２ｅの左右方向の中央部において、左右対称となる３箇所の位置に、流出口１３３が設けられている。流出口１３３の下方には、流出口１３３から鉛直下方に延びる流路がそれぞれ形成されている。つまり、この流路は、ボウル部１００の底部を構成する受水部１１０の手前側における段下がりの底部分を上下に貫通する孔部であり、この孔部の上側の開口が、流出口１３３となる。この各流路の下流において、各流路が合流して一つの流路が形成されている。また、合流した流路の下流端部には、排水口１１２ａから流れ込んだ水をボウル部１００外に排出する排水管（図示せず）が接続されている。
なお、本実施形態においては、凹部１３２から排水部１３０の下流端部（排水管との接続部分）までが、排水流路としての機能を果たす。
【００５６】
＜動作及び作用＞
つづいて、図９を参照して、本発明の第二実施形態に係る自動水栓装置の動作及び作用について説明する。
【００５７】
図９は、本発明の第二実施形態に係る自動水栓装置のボウル部の水の流れを模式的に表した側面断面図である。
なお、受水面１１１上を伝って流れる流体の流れがＦ１及びＦ２で示されている。
【００５８】
図９に示すように、有効電波領域Ｒ内には、受水部１１０から後壁部１２１が立ち上がる角部付近の隅部領域１４０が含まれている。この隅部領域１４０は、受水部１１０と後壁部１２１との角部付近において水飛沫が跳ね上がりやすい領域であり、受水面１１１を流れる水が後壁部１２１に衝突したと仮定したときに水が後壁部１２１に沿って上昇し、その後、跳ね返って落下する空間部分を含む。隅部領域１４０は、例えば、図９に示す受水部１１０と後壁部１２１の断面において、受水部１１０と周壁部１２０とによって囲われる空間の受水部１１０と後壁部１２１の角部を中心とした半径１０［ｃｍ］〜１５［ｃｍ］程度の範囲である。
【００５９】
例えば、図９に示すように、コップからボウル部１００内の手前側の部分に流体Ｆが流されると、流体Ｆは後壁部１２１に向けて手前側（前方側）から奥側（後方側）へ受水面１１１を伝って流れていく（流れＦ１）。流体Ｆは受水面１１１上を伝うように流れる層状流として流れるため、仮に受水面１１１が有効電波領域Ｒに含まれていても、センサ部３００からは捉え難くなる。すなわち、センサ部３００によって層状流として流れる流体Ｆは被検知体として検出されない。
【００６０】
また、受水面１１１には後壁部１２１に向かって上方に傾く傾斜面が設けられているので、流体Ｆの流れＦ１の速度が後壁部１２１に近づくにつれて遅くなり、流れＦ１方向に向かう流体Ｆの勢いも弱くなる。すなわち、後壁部１２１に向けて手前側（前方側）から奥側（後方側）へ受水面１１１を伝って流れる流体Ｆが、後壁部１２１及び隅部領域１４０に到達しにくくなる。仮に、後壁部１２１に向けて手前側（前方側）から奥側（後方側）へ受水面１１１を伝って流れる流体Ｆが後壁部１２１に到達して衝突したとしても、受水面１１１の傾斜面によって流体Ｆの勢いが弱められているので、隅部領域１４０にて流体Ｆが跳ね返りにくい。
【００６１】
受水面１１１を伝って流れＦ１方向に流れた流体Ｆは、受水面１１１の傾斜面によって徐々に手前側（前方側）に向かって流れ、傾斜面の下端に設けられた排水口１１２ａに流入する（流れＦ２）。ここで、排水口１１２ａは左右方向に延びるスリット状の開口であるため、受水面１１１を伝って流れＦ２方向に流れた流体Ｆは、排水口１１２ａに到達すると、層状流のまま、排水口１１２ａに流入する。つまり、受水面１１１を伝って流れＦ２方向に流れた流体Ｆは、前壁部１２２に衝突しにくく、さらに、前壁部１２２に衝突してから受水面１１１の傾斜面を遡って後壁部１２１に向かって流れにくい。
【００６２】
排水口１１２ａに流入した流体Ｆは、排水部１３０の凹部１３２に流れ込む。凹部１３２に流れ込んだ流体Ｆは、複数の流出口１３３から鉛直下方に延びる各流路を流れ、その後、図示しない排水管に排出される。
【００６３】
また、上述した本発明の第二実施形態による自動水栓装置２によれば、前述した第一実施形態の自動水栓装置１の効果に加え、次のような効果が得られる。すなわち、排水口１１２ａは左右方向に延びるスリット状の開口であるので、排水口１１２ａ付近を流れる水はスリット状の排水口１１２ａに流れ込み、排水口１１２ａ付近から受水面１１１の傾斜面を遡って後壁部１２１に向かって流れる水が抑制される。これにより、受水部１１０から後壁部１２１が立ち上がる角部付近の隅部領域１４０にて水が跳ね返ってしまうことを抑制することができる。そのため、隅部領域１４０にて跳ね返った水をセンサ部３００が検知してしまうことによる誤吐水をより確実に抑制することができる。
【００６４】
（第三実施形態）
＜自動水栓装置の構成＞
つぎに、図１０〜図１２を参照して、本発明の第三実施形態に係る自動水栓装置の構成について説明する。
なお、本実施形態において、上述した本発明の第一実施形態および第二実施形態における自動水栓装置１、２と同一の部分については同一の符号を付し、それらの説明は省略する。
【００６５】
図１０は、本発明の第三実施形態に係る自動水栓装置の斜視図である。図１１は、本発明の第三実施形態に係る自動水栓装置の上面図である。図１２は、本発明の第三実施形態に係る自動水栓装置の側面断面図である。
【００６６】
図１０〜図１２に示すように、自動水栓装置３の受水面１１１には、吐水機構２００からの吐水やボウル部１００に捨てられた水を排水する排水口１１２ｂが開口している。また、受水面１１１には、排水口１１２ｂよりも奥側（後方側）に形成された第１受水面１１１ａと、排水口１１２ｂよりも手前側（前方側）に形成された第２受水面１１１ｂと、が形成されている。つまり、受水面１１１が、排水口１１２ｂを介して第１受水面１１１ａと第２受水面１１１ｂとに前後に２分割されている。
【００６７】
排水口１１２ｂは、左右方向に横長に延びるスリット状の開口であり、左右方向の一方の壁部（右壁部１２３または左壁部１２４）の内側面１００ａ側の面から他方（右壁部１２３または左壁部１２４）の壁部の内側面１００ａ側の面にかけて形成されている。この排水口１１２ｂは、センサ部３００の被検知体の検知範囲である有効電波領域Ｒよりも手前側（前方側）の位置に形成されている。つまり、排水口１１２ｂは、有効電波領域Ｒの範囲外の位置に形成されている。本実施形態では、排水口１１２ｂは、受水面１１１における前後方向の中央位置よりも手前側寄りの位置に設けられている。したがって、受水面１１１の後側の部分である第１受水面１１１ａの方が、受水面１１１の後側の部分である第２受水面１１１ｂよりも広い。また、有効電波領域Ｒの左右方向の幅は、排水口１１２ｂの左右方向の幅よりも小さく形成されている。
【００６８】
第１受水面１１１ａは、排水口１１２ｂの奥側の開口縁部である奥側開口縁１１３を形成するとともに手前側（前方側）から奥側（後方側）に向かって上り傾斜している。言い換えると、排水口１１２ｂの奥側（後方側）の開口縁である奥側開口縁１１３が、第１受水面１１１ａに設けられている傾斜面の最下端の縁部分である。また、第１受水面１１１ａの奥側（後方側）端部、つまり、第１受水面１１１ａの最上端は、後壁部１２１の内側面１００ａ側の面の下端に接続されている。
【００６９】
第２受水面１１１ｂは、排水口１１２ｂの手前側の開口縁部である手前側開口縁１１４を形成するとともに手前側（前方側）から奥側（後方側）に向かって下り傾斜している。言い換えると排水口１１２ｂの手前側（前方側）の開口縁である手前側開口縁１１４が、第２受水面１１１ｂに設けられている傾斜面の最下端の縁部分である。また、第２受水面１１１ｂの手前側（前方側）端部、つまり、第２受水面１１１ｂの最上端は、前壁部１２２の内側面１００ａ側の面の下端に接続されている。
【００７０】
排水口１１２ｂの下方には排水部１３０が設けられており、排水部１３０は排水口１１２ｂから下方に向かって凹む凹部１３２を有している。この凹部１３２は、後方側面１３２ａと、後方側面１３２ａに対向する面である前方側面１３２ｂと、後方側面１３２ａと前方側面１３２ｂの右方及び左方端部を接続する右方側面１３２ｃ及び左方側面１３２ｄと、底面１３２ｅとからなる。
【００７１】
凹部１３２の後方側面１３２ａは、奥側開口縁１１３から鉛直下方に延びるように形成されている面である。また、前方側面１３２ｂは、手前側開口縁１１４から鉛直下方に延びるように形成されている面である。つまり、第１受水面１１１ａと後方側面１３２ａの角部分が、奥側開口縁１１３となり、第２受水面１１１ｂと前方側面１３２ｂの角部分が、手前側開口縁１１４となる。さらに、右方側面１３２ｃ及び左方側面１３２ｄは、右壁部１２３及び左壁部１２４の内側面１００ａ側の面から連続して一体的（面一に）に形成されて、排水口１１２ｂから鉛直下方に延びる面である。
【００７２】
ここで、排水口１１２ｂの手前側開口縁１１４が、奥側開口縁１１３よりも低い位置に形成されている。つまり、凹部１３２の前方側面１３２ｂの上端が、凹部１３２の後方側面１３２ａの上端よりも低い位置に形成されている。
【００７３】
凹部１３２の底面１３２ｅは、左右方向に延びるように形成された水平面であり、後方側面１３２ａ、前方側面１３２ｂ、右方側面１３２ｃ及び左方側面１３２ｄ、のそれぞれの下端部を接続している。つまり、第１受水面１１１ａから凹部１３２の後方側面１３２ａ及び底面１３２ｅにかけて、並びに、第２受水面１１１ｂから凹部１３２の前方側面１３２ｂ及び底面１３２ｅにかけて、それぞれ段状に形成されている。
【００７４】
また、凹部１３２の底面１３２ｅには複数の流出口１３３が開口している。流出口１３３の下方には、流出口１３３から鉛直下方に延びる流路がそれぞれ形成されている。この各流路の下流において、各流路が合流して一つの流路が形成されている。また、合流した流路の下流端部には、排水口１１２ｂから流れ込んだ水をボウル部１００外に排出する排水管（図示せず）が接続されている。
なお、本実施形態においては、凹部１３２から排水部１３０の下流端部（排水管との接続部分）までが、排水流路としての機能を果たす。
【００７５】
＜動作及び作用＞
つづいて、図１３を参照して、本発明の第三実施形態に係る自動水栓装置の動作及び作用について説明する。
なお、コップからボウル部１００内に流体Ｆが流されて第１受水面１１１ａで受けた場合、本発明の第二実施形態に係る自動水栓装置２の動作及び作用と略同様であるため、この場合の説明は省略する。
【００７６】
図１３は、本発明の第三実施形態に係る自動水栓装置のボウル部の水の流れを模式的に表した側面断面図である。
なお、第２受水面１１１ｂ上を伝って流れる流体の流れがＦ３で示されている。
【００７７】
図１３に示すように、有効電波領域Ｒ内には、受水部１１０から後壁部１２１が立ち上がる角部付近の隅部領域１４０が含まれている。この隅部領域１４０は、受水部１１０と後壁部１２１との角部付近において水飛沫が跳ね上がりやすい領域であり、受水面１１１を流れる水が後壁部１２１に衝突したと仮定したときに水が後壁部１２１に沿って上昇し、その後、跳ね返って落下する空間部分を含む。隅部領域１４０は、例えば、図１３に示す受水部１１０と後壁部１２１の断面において、受水部１１０と周壁部１２０とによって囲われる空間の受水部１１０と後壁部１２１の角部を中心とした半径１０［ｃｍ］〜１５［ｃｍ］程度の範囲である。
【００７８】
本実施形態において、コップからボウル部１００内に流体Ｆが流されて第２受水面１１１ｂで受けると、第２受水面１１１ｂの傾斜面により、流体Ｆは排水口１１２ｂに向けて手前側（前方側）から奥側（後方側）へ第２受水面１１１ｂを伝って流れていく（流れＦ３）。ここで、第２受水面１１１ｂは、排水口１１２ｂよりも手前側（前方側）、つまり、有効電波領域Ｒよりも手前側（前方側）に形成されている。そのため、例えばコップからボウル部１００内に流体Ｆが流されて第２受水面１１１ｂで受けたときに、第２受水面１１１ｂにて上方に水が跳ね上がったとしても、跳ね上がった水が有効電波領域Ｒに入ることが抑制される。
【００７９】
また、排水口１１２ｂは左右方向に延びるスリット状の開口であり、排水口１１２ｂの手前側開口縁１１４が奥側開口縁１１３よりも低い位置に形成されているので、第２受水面１１１ｂを伝って流れＦ３方向に流れた流体Ｆは、排水口１１２ｂに到達すると、層状流のまま、排水口１１２ｂに流入する。つまり、第２受水面１１１ｂを伝って流れＦ３方向に流れた流体Ｆは、第２受水面１１１ｂから奥側開口縁１１３を越えて第１受水面１１１ａに向かって流れにくい。
【００８０】
排水口１１２ｂに流入した流体Ｆは、排水部１３０の凹部１３２に流れ込む。凹部１３２に流れ込んだ流体Ｆは、複数の流出口１３３から鉛直下方に延びる各流路を流れ、その後、図示しない排水管に排出される。
【００８１】
上述した本発明の第三実施形態による自動水栓装置３によれば、前述した第一実施形態の自動水栓装置１及び第二実施形態の自動水栓装置２の効果に加え、次のような効果が得られる。すなわち、排水口１１２ｂは左右方向に延びるスリット状の開口であり、排水口１１２ｂの手前側開口縁１１４が奥側開口縁１１３よりも低い位置に形成されている。これにより、例えばコップ内の水を第２受水面１１１ｂに捨てた際、第２受水面１１１ｂを伝う水は、第１受水面１１１ａに流れることが抑制され、そのまま排水口１１２ｂに流れ込む。つまり、第１受水面１１１ａから後壁部１２１に向かって水が流れることがより抑制される。これにより、受水部１１０から後壁部１２１が立ち上がる角部付近の隅部領域１４０にて水が跳ね返ってしまうことを抑制することができる。そのため、隅部領域１４０にて跳ね返った水をセンサ部３００が検知してしまうことによる誤吐水をより確実に抑制することができる。
【００８２】
（第四実施形態）
＜自動水栓装置の構成＞
つぎに、図１４〜図１６を参照して、本発明の第四実施形態に係る自動水栓装置の構成について説明する。
なお、本実施形態において、上述した本発明の各実施形態における自動水栓装置と同一の部分については同一の符号を付し、それらの説明は省略する。
【００８３】
図１４は、本発明の第四実施形態に係る自動水栓装置の斜視図である。図１５は、本発明の第四実施形態に係る自動水栓装置の上面図である。図１６は、本発明の第四実施形態に係る自動水栓装置の側面断面図である。
【００８４】
図１４〜図１６に示すように、自動水栓装置４の周壁部１２０は、受水部１１０の周縁部から上方に延びるように形成されており、後壁部１２１と、前壁部１２２ａと、右壁部１２３と、左壁部１２４と、からなる。
【００８５】
周壁部１２０の前壁部１２２ａは、受水部１１０に接続し、後壁部１２１に対向する位置に設けられている。この前壁部１２２ａは、前方斜め上方向に延びるように形成されている。言い換えると、前壁部１２２ａは、前壁部１２２ａと受水部１１０との接続部分から前壁部１２２ａの上端にかけて、前方斜め上方向に延びるように形成されている。また、前壁部１２２ａの内側面１００ａ側の面は、前壁部１２２ａの上端から下端に向かって後方に傾斜している。
【００８６】
＜動作及び作用＞
つづいて、図１７を参照して、本発明の第四実施形態に係る自動水栓装置の動作及び作用について説明する。
【００８７】
図１７は、本発明の第四実施形態に係る自動水栓装置のボウル部の水の流れを模式的に表した側面断面図である。
なお、受水面１１１上を伝って流れる流体の流れがＦ１で示されている。
【００８８】
図１７に示すように、有効電波領域Ｒ内には、受水部１１０から後壁部１２１が立ち上がる角部付近の隅部領域１４０が含まれている。この隅部領域１４０は、受水部１１０と後壁部１２１との角部付近において水飛沫が跳ね上がりやすい領域であり、受水面１１１を流れる水が後壁部１２１に衝突したと仮定したときに水が後壁部１２１に沿って上昇し、その後、跳ね返って落下する空間部分を含む。隅部領域１４０は、例えば、図１７に示す受水部１１０と後壁部１２１の断面において、受水部１１０と周壁部１２０とによって囲われる空間の受水部１１０と後壁部１２１の角部を中心とした半径１０［ｃｍ］〜１５［ｃｍ］程度の範囲である。
【００８９】
本実施形態では、コップからボウル部１００内に流体Ｆが流されると、流体Ｆは後壁部１２１に向けて手前側（前方側）から奥側（後方側）へ受水面１１１を伝って流れていく（流れＦ１）。流体Ｆは受水面１１１上を伝うように流れる層状流として流れるため、仮に受水面１１１が有効電波領域Ｒに含まれていても、センサ部３００からは捉え難くなる。すなわち、センサ部３００によって層状流である流体Ｆは被検知体として検出されない。
【００９０】
また、受水面１１１には後壁部１２１に向かって上方に傾く傾斜面が設けられているので、流体Ｆの流れＦ１の速度が後壁部１２１に近づくにつれて遅くなり、流れＦ１方向に向かう流体Ｆの勢いも弱くなる。すなわち、後壁部１２１に向けて手前側（前方側）から奥側（後方側）へ受水面１１１を伝って流れる流体Ｆが、後壁部１２１及び隅部領域１４０に到達しにくくなる。仮に、後壁部１２１に向けて手前側（前方側）から奥側（後方側）へ受水面１１１を伝って流れる流体Ｆが後壁部１２１に到達して衝突したとしても、受水面１１１の傾斜面によって流体Ｆの勢いが弱められているので、隅部領域１４０にて流体Ｆが跳ね返りにくい。
【００９１】
ここで、前壁部１２２が前方斜め上方向に延びるように形成されているので、例えば使用者がコップ内の流体Ｆをボウル部１００へ流すとき、受水面１１１のより手前側（前方側）の位置に流体Ｆを流すことができる。つまり、受水面１１１を伝って流れ方向Ｆ１に向かって流れる流体Ｆの傾斜面を流れる距離がより長くなる。そのため、受水面１１１を伝って後壁部１２１に向かう水の速度をより遅くすることができる。
【００９２】
受水面１１１を伝って流れＦ１方向に流れた流体Ｆは、受水面１１１の傾斜面によって徐々に手前側（前方側）に向かって流れ、傾斜面の下端に設けられた排水口１１２に流入する。ここで、排水口１１２は有効電波領域Ｒの範囲外に設けられているので、例えば排水口１１２に流体Ｆが流入するときに流体Ｆが乱れた場合であっても、センサ部３００によって被検知体として検出されることが抑制される。
排水口１１２に流入した流体Ｆは、排水部１３０の排水流路１３１を介して図示しない排水管に排出される。
【００９３】
上述した本発明の第四実施形態による自動水栓装置４によれば、各実施形態の自動水栓装置の効果と同様に、次のような効果が得られる。すなわち、受水面１１１には後壁部１２１に向かって上方に傾く傾斜面が設けられている。これにより、受水面１１１から後壁部１２１に向かって流れる水の速度が遅くなり、ボウル部１００の受水面１１１を伝う水が、受水部１１０から後壁部１２１が立ち上がる角部付近の隅部領域１４０にて跳ね返ってしまうことを抑制することができる。そのため、隅部領域１４０にて跳ね返った水をセンサ部３００が検知してしまうことによる誤吐水を抑制することができる。
【００９４】
また、上述した本発明の第四実施形態による自動水栓装置４によれば、前壁部１２２ａは、前方斜め上方向に延びるように形成されているので、例えば使用者がコップ内の水をボウル部１００へ捨てる際、受水面１１１のより手前側の位置に水を捨てることができ、受水面１１１から後壁部１２１に向かう水の速度をより遅くすることができる。これにより、受水部１１０から後壁部１２１が立ち上がる角部付近の隅部領域１４０にて水が跳ね返ってしまうことを抑制することができる。そのため、隅部領域１４０にて跳ね返った水をセンサ部３００が検知してしまうことによる誤吐水をより確実に抑制することができる。
【００９５】
（変形例）
以上、本発明の実施形態について説明したが、本発明は上述した実施形態に限定されるものではない。
【００９６】
例えば、受水面１１１、又は、後壁部１２１の内側面１００ａ側の面は、平面で形成されていなくてもよく、少なくとも一部が曲面で形成されていてもよい。
【００９７】
また、排水口１１２は一つの開口である構成を説明したが、複数の開口であってもよい。
【００９８】
また、吐水機構２００はボウル部１００の後壁部１２１に設けられている構成を説明したが、ボウル部１００と別体に形成されていてもよい。
【００９９】
前述した各実施の形態が備える各要素は、技術的に可能な限りにおいて組み合わせることができ、これらを組み合わせたものも本発明の特徴を含む限り本発明の技術的範囲に包含される。
【符号の説明】
【０１００】
１〜４  自動水栓装置
１００    ボウル部
１１０    受水部
１１１    受水面
１１１ａ  第１受水面
１１１ｂ  第２受水面
１１２    排水口
１１２ａ、１１２ｂ  排水口
１１３    奥側開口縁
１１４    手前側開口縁
１２０    周壁部
１２１    後壁部    （センサ配置部）
１２２    前壁部
１２２ａ  前壁部
１２３    右壁部
１２４    左壁部
１３０    排水部
１３１    排水流路
１３２    凹部
１３２ａ  後方側面
１３２ｂ  前方側面
１３２ｃ  右方側面
１３２ｄ  左方側面
１３２ｅ  底面
１３３    流出口
１４０    隅部領域
２００    吐水機構
２１０    給水管
２２０    開閉弁
２３０    吐水部
２４０    吐水口
３００    センサ部
３１０    送信部
３２０    受信部
３３０    発振回路
３４０    ミキサ回路
４００    制御部
４１０    判定部
４２０    記憶部
Ａ    電波放射方向
Ｃ    中心軸線
Ｆ    流体
Ｆ１〜Ｆ３  流体の流れ
Ｒ    有効電波領域
Ｗ    給水管内の流れ
【図１】
0006727535.tif 000002
【図２】
0006727535.tif 000003
【図３】
0006727535.tif 000004
【図４】
0006727535.tif 000005
【図５】
0006727535.tif 000006
【図６】
0006727535.tif 000007
【図７】
0006727535.tif 000008
【図８】
0006727535.tif 000009
【図９】
0006727535.tif 000010
【図１０】
0006727535.tif 000011
【図１１】
0006727535.tif 000012
【図１２】
0006727535.tif 000013
【図１３】
0006727535.tif 000014
【図１４】
0006727535.tif 000015
【図１５】
0006727535.tif 000016
【図１６】
0006727535.tif 000017
【図１７】
0006727535.tif 000018